(57)【要約】  【課題】  使用者による操作が容易となり、操作音に対して使用者が親しみを持ち易いようにした撮影装置を提供する。  【解決手段】  画像の撮影等の処理を撮影装置１が行うために使用者から操作部１０８で受け付けるべき操作に関連付けて、メッセージの音声データを記憶しておく。使用者から操作部１０８で操作を受け付けた場合に、受け付けた操作に関連付けられた音声データに基づいたメッセージの音声を発音部１１０で発音する。操作に対応した処理の内容をメッセージで表す音声データを関連付けておくことにより、使用者による操作が容易となる。また撮影装置１は使用者の声を録音した音声データを作成して記憶しておくことが可能であり、使用者は、録音した使用者の声で処理の内容を表す音声を操作音として聞くことができ、操作音に対して親しみをより感じやすくなる。【選択図】        図１
2006178233.tif 000002
【特許請求の範囲】
【請求項１】
撮影手段と、実行する処理に対応する操作を受け付ける操作部とを備える撮影装置において、
前記操作部が受け付けるべき操作に関連付けてメッセージの音声データを記憶しておく記憶手段と、
前記操作部が操作を受け付けた場合に、該操作に関連付けられたメッセージの音声データを前記記憶手段から読み出す手段と、
該手段が読み出したメッセージの音声データに基づいたメッセージの音声を発音する発音手段と
を備えることを特徴とする撮影装置。
【請求項２】
前記記憶手段は、前記操作部が受け付けるべき操作が対応する処理の内容をメッセージで表した音声を表現する音声データを前記操作に関連付けて記憶してあることを特徴とする請求項１に記載の撮影装置。
【請求項３】
撮影手段と、実行する処理に対応する操作を受け付ける操作部とを備える撮影装置において、
音声を取得して音声データを作成する手段と、
該手段が作成した音声データを、前記操作部が受け付けるべき特定の操作に関連付けて記憶する記憶手段と、
前記操作部が操作を受け付けた場合に、該操作に関連付けられた音声データを前記記憶手段から読み出す手段と、
該手段が読み出した音声データに基づいた音声を発音する発音手段と
を備えることを特徴とする撮影装置。
【請求項４】
前記記憶手段は、前記撮影手段に画像を撮影させる処理の開始を指示する操作に関連付けて音声データを記憶する手段を有することを特徴とする請求項１乃至３のいずれか一つに記載の撮影装置。
【請求項５】
前記記憶手段は、前記操作部が受け付けるべき一の操作に関連付けて複数の音声データを記憶する手段を有し、
前記一の操作に関連付けられた複数の音声データの内で一の音声データを指定する指定情報を受け付ける手段と、
該手段が受け付けた前記指定情報が指定する前記一の音声データを示す情報を記憶する手段と、
前記操作部が前記一の操作を受け付けた場合に、前記情報が示す音声データを前記記憶手段から読み出す手段と、
該手段が読み出した音声データに基づいた音声を前記発音手段に発音させる手段と
を更に備えることを特徴とする請求項１乃至４のいずれか一つに記載の撮影装置。
【発明の詳細な説明】
【技術分野】
【０００１】
本発明は、画像を撮影する撮影装置に関し、より具体的には使用者が操作を行った際に操作音を発音する撮影装置に関する。
【背景技術】
【０００２】
カメラ又はビデオカメラ等の撮影装置は、撮影した静止画像又は動画像をデジタルデータの形式で記録することができるデジタル式のものが広く普及している。また近年では携帯電話又はＰＤＡ等の情報機器にも、撮影装置の機能を有しているものが多い。これらの撮影装置は、使用者の操作を受け付ける複数の操作キーを有する操作部を備え、使用者が操作部を操作することによってズーム倍率の指示又は撮影開始の指示等の処理指示を受け付け、受け付けた処理指示に従った処理を実行する。また高機能化に伴って、液晶パネル等の表示部に操作メニューを表示し、カーソルキー等を用いて処理指示を受け付ける等の方法により、少ない操作キーで他種類の処理指示を受け付けることができる処理部を備えた撮影装置もある。また撮影装置は、使用者が行った操作部の操作を撮影装置が受け付けたか否かを使用者が確認することができるように、操作部で使用者の操作を受け付けた場合に操作音を発音させる機能を有しているものが多い。例えば、デジタル式の撮影装置の撮影時にはフィルム式のカメラが発音するシャッター音のように音声が発音することは本来的には少ないが、無音で撮影を行う構成では使用者が撮影を確認することができない又は盗撮が容易になる等の問題があるので、撮影装置は、擬似的なシャッター音等の音声を撮影時に発音させる機能を有するものが多い。
【特許文献１】特開昭６３−１２９７２５号公報
【発明の開示】
【発明が解決しようとする課題】
【０００３】
現在の撮影装置は、小型化・高機能化が日々推進されている。このため、操作部が小型化し、また必要な操作部での操作が複雑になるので、使用者による操作部の操作がより困難になってきている。特に、操作部に記された文字、又は表示部に表示された文字が小さいので、高齢者等の目の不自由な使用者による操作が困難であるという問題がある。また、使用者が操作部を操作した際に発音する操作音は合成音であるので、使用者が親しみを持ちにくいという問題がある。
【０００４】
本発明は、斯かる事情に鑑みてなされたものであって、その目的とするところは、使用者が容易に操作することができる撮影装置を提供することにある。
【０００５】
また本発明の他の目的とするところは、操作音に対して使用者が親しみを持ち易いようにした撮影装置を提供することにある。
【課題を解決するための手段】
【０００６】
本発明に係る撮影装置は、撮影手段と、実行する処理に対応する操作を受け付ける操作部とを備える撮影装置において、前記操作部が受け付けるべき操作に関連付けてメッセージの音声データを記憶しておく記憶手段と、前記操作部が操作を受け付けた場合に、該操作に関連付けられたメッセージの音声データを前記記憶手段から読み出す手段と、該手段が読み出したメッセージの音声データに基づいたメッセージの音声を発音する発音手段とを備えることを特徴とする。
【０００７】
本発明においては、撮影装置は、画像の撮影等の処理を撮影装置が行うために使用者から受け付けるべき操作に関連付けて、メッセージの音声データを記憶しておき、使用者から操作を受け付けた場合に、受け付けた操作に関連付けられた音声データに基づいたメッセージの音声を発音する。
【０００８】
本発明に係る撮影装置は、前記記憶手段は、前記操作部が受け付けるべき操作が対応する処理の内容をメッセージで表した音声を表現する音声データを前記操作に関連付けて記憶してあることを特徴とする。
【０００９】
また本発明においては、撮影装置は、使用者から操作を受け付けた場合に、操作に対応して撮影装置が実行する処理の内容をメッセージで表した音声を発音する。
【００１０】
本発明に係る撮影装置は、撮影手段と、実行する処理に対応する操作を受け付ける操作部とを備える撮影装置において、音声を取得して音声データを作成する手段と、該手段が作成した音声データを、前記操作部が受け付けるべき特定の操作に関連付けて記憶する記憶手段と、前記操作部が操作を受け付けた場合に、該操作に関連付けられた音声データを前記記憶手段から読み出す手段と、該手段が読み出した音声データに基づいた音声を発音する発音手段とを備えることを特徴とする。
【００１１】
本発明においては、撮影装置は、使用者の声等の音声を録音した音声データを作成し、使用者から受け付けるべき操作に関連付けて音声データを記憶しておき、使用者から操作を受け付けた場合に、録音により作成した音声データに基づいた音声を発音する。
【００１２】
本発明に係る撮影装置は、前記記憶手段は、前記撮影手段に画像を撮影させる処理の開始を指示する操作に関連付けて音声データを記憶する手段を有することを特徴とする。
【００１３】
また本発明においては、撮影装置での撮影の開始を指示する操作に関連付けて音声データを関連付けておき、撮影の開始を指示する操作を受け付けた場合に、関連付けられた音声データに基づいた音声を発音する。
【００１４】
本発明に係る撮影装置は、前記記憶手段は、前記操作部が受け付けるべき一の操作に関連付けて複数の音声データを記憶する手段を有し、前記一の操作に関連付けられた複数の音声データの内で一の音声データを指定する指定情報を受け付ける手段と、該手段が受け付けた前記指定情報が指定する前記一の音声データを示す情報を記憶する手段と、前記操作部が前記一の操作を受け付けた場合に、前記情報が示す音声データを前記記憶手段から読み出す手段と、該手段が読み出した音声データに基づいた音声を前記発音手段に発音させる手段とを更に備えることを特徴とする。
【００１５】
更に本発明においては、使用者の声を録音した音声データ等の複数の音声データを一の操作に関連付けることが可能であり、複数の音声データの中から一の音声データを指定しておき、操作を受け付けた場合は、指定された一の音声データに基づいた音声を発音する。
【発明の効果】
【００１６】
本発明にあっては、使用者が行う操作に対応した処理の内容をメッセージで表した音声データを操作に関連付けておくことにより、使用者は、撮影装置の操作を行った際に、操作に応じて撮影装置が何の処理を実行しているかをメッセージの音声で確認することができるので、使用者が容易に撮影装置を操作することができるようになる。特に、操作部に記された文字又は表示部に表示された文字を読み取りにくい高齢者等の目の不自由な使用者が撮影装置を容易に操作することが可能となる。
【００１７】
また本発明にあっては、使用者の声を録音した音声データを作成して記憶しておくことにより、使用者は、撮影装置を操作した場合に、録音した使用者の声で操作に対応した処理の内容を確認することができるので、合成音からなる操作音とは異なって操作時に発音する音声に対して親しみをより感じやすくなる。従って、撮影装置の操作性がより向上する。
【００１８】
また本発明にあっては、シャッターボタンを押す等による撮影開始を指示する操作を使用者が行った場合に、使用者が録音しておいた「撮りまーす」という音声等の音声が発音されるので、撮影者又は非撮影者等の使用者は撮影が実行されたことを確認することができる。
【００１９】
更に本発明にあっては、複数の音声データを一の操作に関連付けておき、実際に発音する音声データを指定することができるので、操作時に発音される音声を使用状況に応じて選択することが可能となる等、本発明は優れた効果を奏する。
【発明を実施するための最良の形態】
【００２０】
以下本発明をその実施の形態を示す図面に基づき具体的に説明する。
図１は、本発明の撮影装置の内部構造を示すブロック図である。撮影装置１は、静止画像又は動画像を撮影するカメラ装置である。撮影装置１は、演算を行うＣＰＵ１０１を備え、ＣＰＵ１０１には、演算に伴う一時的なデータを記憶するＲＡＭ１０２と、撮影装置１の機能を実現するための制御プログラムを記憶したＲＯＭ１０３が接続されている。ＣＰＵ１０１は、ＲＯＭ１０３が記憶している制御プログラムに従って、撮影装置１に必要な処理を実行する。またＣＰＵ１０１には、ＣＣＤ（Charge Coupled Device ）等の撮像素子を用いて撮影を行う撮影部（撮影手段）１０４と、撮影部１０４が撮影した画像を表す画像データを作成する画像処理部１０５とが接続されている。またＣＰＵ１０１には、半導体メモリからなる記憶部（記憶手段）１０６と、画像処理部１０５が作成した画像データを、半導体メモリ、ハードディスク又は光ディスク等の記録媒体を用いて記憶する画像記憶部１０７が接続されている。
【００２１】
またＣＰＵ１０１には、シャッターキー及びズームキー等の使用者からの操作を受け付ける複数の操作キーからなる操作部１０８と、液晶パネル等の表示部１０９とが接続されている。操作部１０８は、ＣＰＵ１０１が処理を行うために必要な処理指示を示す操作を受け付け、表示部１０９は、必要な情報を表示する。なお操作部１０８の一部は、表示部１０９と一体となったタッチパネルであってもよい。更にＣＰＵ１０１には、スピーカを用いて音声を発音する発音部（発音手段）１１０と、マイクを用いて音声を録音する録音部１１１とが接続されている。
【００２２】
記憶部１０６は、発音部１１０で発音するメッセージの音声を表現する複数の音声データを記憶している。また撮影装置１は、操作部１０８が受け付けた操作に応じたメッセージの音声を発音部１１０で発音する構成となっており、記憶部１０６は、操作部１０８が受け付ける操作と音声発音部１１０で発音すべき音声データとの関連づけを示す関連付情報を記憶している。
【００２３】
図２は、記憶部１０６が記憶している関連付情報の内容例を示す概念図である。操作部１０８で受け付けることができる電源入、電源断、及びズームイン等の処理に係る操作に関連づけて、処理の内容をメッセージで表した音声を表現する音声データが関連付けられている。例えば、電源入の操作に対しては、「電源が入りました」というメッセージの音声データが関連付けられ、電源断の操作に対しては、「電源を切りました」というメッセージの音声データが関連付けられている。またズームインの操作に対しては、「望遠にしています」というメッセージの音声データが関連付けられ、ズームアウトの操作に対しては、「広角にしています」というメッセージの音声データが関連付けられている。ＣＰＵ１０１は、操作部１０６でいずれかの操作を受け付けた場合に、受け付けた操作に対応する処理を行うと共に、受け付けた操作に関連付けられている音声データに基づいてメッセージの音声を発音部１１０に発音させる処理を行う。
【００２４】
また図２では、撮影開始の操作に対しては、「ハイ、撮ります」というメッセージの音声データと、「撮りまーす」という録音された音声の音声データと、「ハイ、チーズ」という録音された音声の音声データとが関連付けられている。このように、撮影装置１は、録音部１１１が録音することによって作成した音声データを含む複数の音声データを一の操作に対して関連付けることが可能である。図２では、撮影開始の操作に関連付けられている複数の音声データの内、発音時には「撮りまーす」という録音した音声を発音すべく、「撮りまーす」という音声の音声データに優先を示す発音条件の情報が関連付けられている。
【００２５】
次に、本発明の撮影装置１が行う処理をフローチャートを用いて説明する。図３は、撮影装置１が音声を録音して音声データを記憶する処理の手順を示すフローチャートである。ＣＰＵ１０１は、ＲＯＭ１０３が記憶する制御プログラムに従って以下の処理を実行する。
【００２６】
ＣＰＵ１０１は、録音によって作成する音声データを関連付ける対象である所定の操作を指定する操作の操作部１０８での受付を監視している（Ｓ１０１）。対象を指定する操作の受付がない場合は（Ｓ１０１：ＮＯ）、ＣＰＵ１０１は、操作の受付の監視を続行する。音声データを関連付ける対象である所定の操作を指定する操作を操作部１０８で受け付けた場合は（Ｓ１０１：ＹＥＳ）、ＣＰＵ１０１は、録音を指示する操作の操作部１０８での受付を監視する（Ｓ１０２）。録音を指示する操作の受付がない場合は（Ｓ１０２：ＮＯ）、ＣＰＵ１０１は、録音を指示する操作の受付の監視を続行する。録音を指示する操作を操作部１０８で受け付けた場合は（Ｓ１０２：ＹＥＳ）、使用者が発声する声等の音声を録音部１１１に録音させ（Ｓ１０３）、録音した音声を表現する音声データを作成する（Ｓ１０４）。
【００２７】
ＣＰＵ１０１は、次に、作成した音声データの試聴のために発音を指示する操作の操作部１０８での受付を監視する（Ｓ１０５）。発音を指示する操作を操作部１０８で受け付けた場合は（Ｓ１０５：ＹＥＳ）、ＣＰＵ１０１は、作成した音声データに基づいて音声を発音部１１０に発音させる（Ｓ１０６）。ステップＳ１０６が終了した場合、又はステップＳ１０５で発音を指示する操作の受付がなかった場合は（Ｓ１０５：ＮＯ）、ＣＰＵ１０１は、作成した音声データを所定の操作に関連付けて記憶することを指示する操作の操作部１０８での受付を監視する（Ｓ１０７）。記憶を指示する操作を操作部１０８で受け付けた場合は（Ｓ１０７：ＹＥＳ）、ＣＰＵ１０１は、作成した音声データを記憶部１０６に記憶させ（Ｓ１０８）、記憶した音声データを所定の操作に関連付けるように関連付情報を更新し（Ｓ１０９）、処理を終了する。
【００２８】
ステップＳ１０７で、作成した音声データを所定の操作に関連付けて記憶することを指示する操作の受付がなかった場合は（Ｓ１０７：ＮＯ）、ＣＰＵ１０１は、音声の再録音を指示する操作の操作部１０８での受付を監視する（Ｓ１１０）。音声の再録音を指示する操作を操作部１０８で受け付けた場合は（Ｓ１１０：ＹＥＳ）、ＣＰＵ１０１は、処理をステップＳ１０３へ戻して再録音を行う。音声の再録音を指示する操作の受付がなかった場合は（Ｓ１１０：ＮＯ）、ＣＰＵ１０１は、処理を終了する。
【００２９】
以上の処理により、使用者が自分の声で「撮りまーす」等と操作に対応した処理の内容を表現した音声データを作成することができる。新たな音声データを記憶させる等により、複数の音声データが一の操作に関連付けられている場合は、実際に発音すべき音声データを指定する必要がある。図４は、撮影装置１が実際に発音する音声データを指定する処理の手順を示すフローチャートである。ＣＰＵ１０１は、ＲＯＭ１０３が記憶する制御プログラムに従って以下の処理を実行する。
【００３０】
ＣＰＵ１０１は、複数の音声データが関連付けられた所定の操作を指定する操作の操作部１０８での受付を監視している（Ｓ２１）。所定の操作を指定する操作の受付がない場合は（Ｓ２１：ＮＯ）、ＣＰＵ１０１は、所定の操作を指定する操作の受付の監視を続行する。所定の操作を指定する操作を操作部１０８で受け付けた場合は（Ｓ２１：ＹＥＳ）、ＣＰＵ１０１は、指定された所定の操作に関連付情報で関連付けられている音声データを表示部１０９に表示させる（Ｓ２２）。ＣＰＵ１０１は、次に、表示された音声データの中から一の音声データを指定する操作の操作部１０８での受付を監視する（Ｓ２３）。一の音声データを指定する操作の受付がない場合は（Ｓ２３：ＮＯ）、ＣＰＵ１０１は、一の音声データを指定する操作の受付の監視を続行する。
【００３１】
ステップＳ２３で一の音声データを指定する操作を操作部１０８で受け付けた場合は（Ｓ２３：ＹＥＳ）、ＣＰＵ１０１は、指定した音声データの試聴のために発音を指示する操作の操作部１０８での受付を監視する（Ｓ２４）。発音を指示する操作を操作部１０８で受け付けた場合は（Ｓ２４：ＹＥＳ）、ＣＰＵ１０１は、指定した音声データに基づいて音声を発音部１１０に発音させる（Ｓ２５）。ステップＳ２５が終了した場合、又はステップＳ２４で発音を指示する操作の受付がなかった場合は（Ｓ２４：ＮＯ）、指定した音声データの発音時の優先を指示する操作の操作部１０８での受付を監視する（Ｓ２６）。優先を指示する操作の受付がなかった場合は（Ｓ２６：ＮＯ）、ＣＰＵ１０１は、処理をステップＳ２３へ戻す。
【００３２】
ステップＳ２６で、指定した音声データの発音時の優先を指示する操作を操作部１０８で受け付けた場合は（Ｓ２６：ＹＥＳ）、ＣＰＵ１０１は、これにより本発明に係る指定情報を受け付け、指定した音声データを発音することを示す優先の発音条件を記録して、記憶部１０６が記憶する関連付情報を更新し（Ｓ２７）、処理を終了する。
【００３３】
以上の処理により、使用者が所定の操作を行った場合に実際に発音する音声データを変更することができる。例えば、使用者が撮影開始を指示する操作を行った場合に発音される音声について、複数記憶されている音声データの中から、使用者の声を録音した「撮りまーす」という音声の音声データを選択することができる。
【００３４】
図５は、撮影装置１が操作を受け付けた場合に音声を発音する処理の手順を示すフローチャートである。ＣＰＵ１０１は、ＲＯＭ１０３が記憶する制御プログラムに従って以下の処理を実行する。ＣＰＵ１０１は、撮影開始を指示する操作等の操作の操作部１０８での受付を監視している（Ｓ３１）。操作の受付がない場合は（Ｓ３１：ＮＯ）、ＣＰＵ１０１は、操作の受付の監視を続行する。操作部１０８で操作を受け付けた場合は（Ｓ３１：ＹＥＳ）、ＣＰＵ１０１は、記憶部１０６が記憶している関連付情報に基づいて、受け付けた操作に関連付けられた音声データを検索する（Ｓ３２）。ＣＰＵ１０１は、次に、操作に関連付けられた音声データが複数あるか否かを判定する（Ｓ３３）。
【００３５】
ステップＳ３３で操作に複数の音声データが関連付けられている場合は（Ｓ３３：ＹＥＳ）、ＣＰＵ１０１は、関連付情報に記録された発音条件が優先を示す音声データを選択し（Ｓ３４）、選択した音声データを記憶部１０６から読み出し（Ｓ３５）、使用者の声を録音した音声データが表現する「撮りまーす」という音声又は受け付けた操作に対応する処理の内容を表すメッセージの音声等の、読み出した音声データに基づいた音声を発音部１１０に発音させる（Ｓ３６）。ステップＳ３３で操作に一個の音声データが関連付けられている場合は（Ｓ３３：ＮＯ）、ＣＰＵ１０１は、操作に関連付けられれている音声データを記憶部１０６から読み出し（Ｓ３７）、読み出した音声データに基づいた音声を発音部１１０に発音させる（Ｓ３８）。ステップＳ３６又はステップＳ３８が終了した場合は、ＣＰＵ１０１は、撮影部１０４に画像を撮影させる処理等の、受け付けた操作に対応する処理を実行し（Ｓ３９）、処理を終了する。
【００３６】
以上詳述した如く、本発明の撮影装置１は、画像の撮影等の処理を撮影装置１が行うために使用者から受け付けるべき操作に関連付けて、メッセージの音声データを記憶しておき、使用者から操作を受け付けた場合に、受け付けた操作に関連付けられた音声データに基づいたメッセージの音声を発音する。使用者が行う操作に対応した処理の内容をメッセージで表す音声を表現する音声データを操作に関連付けておくことにより、使用者は、撮影装置１の操作を行った際に、操作に応じて撮影装置１が何の処理を実行しているかをメッセージの音声で確認することができるので、使用者は容易に撮影装置１を操作することができるようになる。特に、操作部に記された文字又は表示部に表示された文字を読み取りにくい高齢者等の目の不自由な使用者が撮影装置を容易に操作することが可能となる。
【００３７】
また本発明においては、シャッターボタンを押す等による撮影開始を指示する操作を使用者が行った場合に、使用者が録音しておいた「撮りまーす」という音声等の音声が発音されるので、撮影者又は非撮影者等の使用者は撮影が実行されたことを確認することができる。
【００３８】
また本発明においては、使用者の声を録音した音声データを作成して記憶しておくことにより、使用者は、撮影装置１を操作した場合に、録音した使用者の声で操作に対応した処理の内容を確認することができるので、合成音からなる操作音とは異なって操作時に発音する音声に対して親しみをより感じやすくなる。従って、撮影装置１の操作性がより向上する。また複数の音声データを一の操作に関連付けておき、実際に発音する音声データを指定することができるので、操作時に発音される音声を使用状況に応じて選択することが可能となる。
【００３９】
なお、本実施の形態においては、撮影装置１は、使用者から操作を受け付けた場合に常にメッセージの音声を発音させる形態を示したが、操作時に音声を発音させるモードと操作時に発音を行わないモードとを切り替える設定を行う機能を有する形態であってもよい。また本実施の形態においては、本発明の撮影装置１は、静止画像又は動画像を撮影するカメラ装置であるとしたが、これに限るものではなく、カメラ機能を備えた携帯電話等、画像を撮影する機能を備えたその他の装置の形態であってもよい。
【図面の簡単な説明】
【００４０】
【図１】本発明の撮影装置の内部構造を示すブロック図である。
【図２】記憶部が記憶している関連付情報の内容例を示す概念図である。
【図３】撮影装置が音声を録音して音声データを記憶する処理の手順を示すフローチャートである。
【図４】撮影装置が実際に発音する音声データを指定する処理の手順を示すフローチャートである。
【図５】撮影装置が操作を受け付けた場合に音声を発音する処理の手順を示すフローチャートである。
【符号の説明】
【００４１】
１  撮影装置
１０１  ＣＰＵ
１０４  撮影部（撮影手段）
１０６  記憶部（記憶手段）
１０８  操作部
１１０  発音部（発音手段）
１１１  録音部
【図１】
2006178233.tif 000003
【図２】
2006178233.tif 000004
【図３】
2006178233.tif 000005
【図４】
2006178233.tif 000006
【図５】
2006178233.tif 000007